(57)【要約】【課題】原稿カバーの上に載せられている異物が給紙口に入ることを防止できる画像入出力装置を提供する。【解決手段】筐体９２に揺動自在に連結され原稿台を被覆する原稿カバー９５と、筐体９２に収容され、原稿台に載置された原稿を走査して画像データを作成する画像読み取り部と、筐体９３に収容され印刷媒体に画像を印刷する印刷部と、筐体９３の原稿カバー９５の揺動軸線の下方に形成され印刷部に印刷媒体を供給するための給紙口と、給紙口の近傍に設けられ印刷媒体を保持する用紙台９９と、原稿カバー９５の揺動軸線の下方に設けられ、少なくとも用紙台９９の給紙口の近傍の上方を覆い給紙口側端部から反給紙口側端部に向かって上方に傾斜する異物避けカバー９４と、異物避けカバー９４の給紙口側端部又はその近傍に設けられ異物避けカバー９４に沿って降下する異物を貯留する貯留部と、を備える。【選択図】　図１
2004104389.tif 000002
【特許請求の範囲】
【請求項１】
原稿を載置するための原稿台を有する筐体と、
前記筐体に揺動自在に連結され前記原稿台を被覆する原稿カバーと、
前記筐体に収容され、前記原稿台に載置された原稿を走査して画像データを作成する画像読み取り部と、
前記筐体に収容され印刷媒体に画像を印刷する印刷部と、
前記筐体の前記原稿カバーの揺動軸線の下方に形成され前記印刷部に印刷媒体を供給するための給紙口と、
前記筐体の前記給紙口の近傍に設けられ前記印刷媒体を保持する用紙台と、
前記原稿カバーの揺動軸線の下方に設けられ、少なくとも前記用紙台の前記給紙口の近傍の上方を覆い給紙口側端部から反給紙口側端部に向かって上方に傾斜する異物避けカバーと、
前記異物避けカバーの給紙口側端部又はその近傍に設けられ前記異物避けカバーに沿って降下する異物を貯留する貯留部と、
を備えることを特徴とする画像入出力装置。
【請求項２】
前記異物避けカバーは、前記筐体又は前記用紙台に脱着可能に係止されていることを特徴とする請求項１に記載の画像入出力装置。
【請求項３】
前記異物避けカバーは、給紙口側端部近傍を中心に揺動自在に設けられていることを特徴とする請求項１又は２に記載の画像入出力装置。
【請求項４】
前記異物避けカバーは、給紙口側端部近傍を中心に揺動自在であって、概ね直立姿勢のときにのみ脱着可能に、前記筐体又は前記用紙台に、係止されていることを特徴とする請求項１に記載の画像入出力装置。
【請求項５】
前記異物避けカバーは、前記原稿カバーから所定の力が作用すると外れるように前記筐体又は前記用紙台に係止されていることを特徴とする請求項１〜４のいずれか一項に記載の画像入出力装置。
【請求項６】
前記異物避けカバーは、透明又は半透明であることを特徴とする請求項１〜５のいずれか一項に記載の画像入出力装置。
【請求項７】
前記異物避けカバーは、前記印刷媒体のサイズを確認するためのマークを有することを特徴とする請求項６に記載の画像入出力装置。
【発明の詳細な説明】
【０００１】
【発明の属する技術分野】
本発明は、画像入出力装置に関する。
【０００２】
【従来の技術】
画像の読み取りと画像の印刷とが可能な画像入出力装置として、画像読み取り装置としてのイメージスキャナとプリンタとを一体化した複合機が知られている。また、そうした複合機のうち、給紙口が原稿カバーの揺動軸線の下方に形成されているものが知られている。
【０００３】
図１３は給紙口が原稿カバーの揺動軸線の下方に形成されている複合機の一例を示す模式図である。図示する例の複合機３は原稿台２１１を有する筐体２０３、原稿台２１１を被覆する原稿カバー２９３、給紙口２９６、用紙台２９５、画像読み取り部２０１、印刷部２０２などを備える。原稿カバー２９３はヒンジ２９７で筐体２０３に連結されており、ヒンジ２９７の図１３において紙面に垂直な揺動軸線２９８周りに揺動する。筐体２０３は概ね箱形であり、側壁部は４つの壁部で構成されている。ヒンジ２９７は４つの壁部のうちの一つの壁部の上側の角部に形成されており、図示するように給紙口２９６はヒンジ２９７が設けられている壁部に設けられている。すなわち、給紙口２９６は揺動軸線２９８の下方に形成されている。
【０００４】
【発明が解決しようとする課題】
しかしながら、給紙口２９６が原稿カバー２９３の揺動軸線２９８の下方に形成されていると、原稿カバー２９３の上に置かれたクリップなどの異物２０４が原稿カバー２９３を開いたとき用紙台２９５又は印刷媒体としての用紙２９２の上に落ち、傾斜する用紙台２９５に沿って降下して給紙口２９６に入ってしまうという問題があり、それにより複合機３が故障してしまうという問題がある。
【０００５】
本発明は上記問題を解決するために創作されたものであって、原稿カバーの上に載せられている異物が給紙口に入ることを防止できる画像入出力装置を提供することにある。
【０００６】
【課題を解決するための手段】
請求項１に記載の画像入出力装置は、原稿を載置するための原稿台を有する筐体と、筐体に揺動自在に連結され原稿台を被覆する原稿カバーと、筐体に収容され、原稿台に載置された原稿を走査して画像データを作成する画像読み取り部と、筐体に収容され印刷媒体に画像を印刷する印刷部と、筐体の原稿カバーの揺動軸線の下方に形成され印刷部に印刷媒体を供給するための給紙口と、筐体の給紙口の近傍に設けられ印刷媒体を保持する用紙台と、原稿カバーの揺動軸線の下方に設けられ、少なくとも用紙台の給紙口の近傍の上方を覆い給紙口側端部から反給紙口側端部に向かって上方に傾斜する異物避けカバーと、カバーの給紙口側端部又はその近傍に設けられ異物避けカバーに沿って降下する異物を貯留する貯留部と、を備えることを特徴とする。この画像入出力装置によると、上に異物が置かれた状態で原稿カバーが開かれたとき、異物は異物避けカバーの上に落ち、傾斜する異物避けカバーに沿って降下して貯留部に貯留される。よってこの画像入出力装置によると、原稿カバーを開いたとき原稿カバーの上に載せられている異物が給紙口に入ることを防止できる。
【０００７】
請求項２に記載の画像入出力装置は、異物避けカバーが筐体又は用紙台に脱着可能に係止されていることを特徴とする。この画像入出力装置によると、画像入出力装置の搬送時に異物避けカバーを取り外すことで異物避けカバーの破損を防止できる。
【０００８】
請求項３に記載の画像入出力装置は、異物避けカバーが給紙口側端部近傍を中心に揺動自在に設けられていることを特徴とする。この画像入出力装置によると、用紙台との間に空間が広がるように異物避けカバーを揺動させることで用紙台への印刷媒体の補給を容易にできる。
【０００９】
請求項４に記載の画像入出力装置は、異物避けカバーが給紙口側端部近傍を中心に揺動自在であって、概ね直立姿勢のときにのみ脱着可能に、筐体又は用紙台に、係止されていることを特徴とする。この画像入出力装置によると、異物避けカバーは概ね直立姿勢にしなければ取り外せないため、異物避けカバーが意図に反して外れてしまうことを防止できる。
【００１０】
請求項５に記載の画像入出力装置は、異物避けカバーが原稿カバーから所定の力が作用すると外れるように筐体又は用紙台に係止されていることを特徴とする。この画像入出力装置によると、原稿カバーから所定の力が作用すると外れるため、原稿カバーからの力により異物避けカバーが破損することを防止できる。
【００１１】
請求項６に記載の画像入出力装置は、異物避けカバーが透明又は半透明であることを特徴とする。この画像入出力装置によると、例えば用紙台が保持する印刷媒体のサイズが異物避けカバーより小さくても、用紙台に印刷媒体が保持されていることを容易に確認できる。
【００１２】
請求項７に記載の画像入出力装置は、異物避けカバーが印刷媒体のサイズを確認するためのマークを有することを特徴とする。この画像入出力装置によると、用紙台に載置されている印刷媒体のサイズを容易に確認できる。
【００１３】
【発明の実施の形態】
以下、本発明の複数の実施の形態を図面に基づいて説明する。
【００１４】
（第一実施例）
図１は、本発明の第一実施例に係る複合機１の側面図であり、図１１は複合機１を示す模式図である。複合機１は、画像読み取り装置としての所謂フラットベッド型のイメージスキャナとインクジェットプリンタとが一体化された画像入出力装置である。第一実施例の複合機１は筐体がスキャナユニット９２とプリンタユニット９３とに分かれており、スキャナユニット９２はプリンタユニット９３に図示しないヒンジにより揺動自在に連結されている。以後の説明において筐体とはスキャナユニット９２及びプリンタユニット９３の両方のことを指すものとする。尚、第一実施例では一体化されるプリンタとしてインクジェットプリンタを例に説明するが、プリンタはレーザープリンタやドットインパクトプリンタなどであってもよい。
【００１５】
原稿カバー９５は２つのヒンジ２７（図４参照）によりスキャナユニット９２に連結され、図１１において紙面に垂直な揺動軸線９８周りを揺動する。
用紙台９９は、給紙口９６の下に設けられ、筐体から斜め上方に突出するよう設けられている。用紙台９９は給紙口９６から供給する印刷媒体としての印刷用紙９１を傾斜させて保持し、保持されている印刷用紙９１は所定の給紙機構によって一枚づつ給紙口９６から印刷部１０２に搬送されて供給される。
【００１６】
図２は複合機１の構成を示す模式図であり、図３は複合機１を示すブロック図である。以下、図２及び図３に基づいて複合機１の構成を説明する。
原稿台１１は、概ね矩形のガラス板等の透明板で構成され、その盤面１２に画像が記録された用紙、写真、印刷文書等の原稿Ｍが載置される。
【００１７】
画像読み取り部１０１（図１１参照）は、リニアイメージセンサ４１、光学系２０、第一主走査駆動部５１、第一副走査駆動部５２、処理部６０、ＡＦＥ部６１及びアナログ信号処理部６２などを備え、スキャナユニット９２に収容されている。
【００１８】
リニアイメージセンサ４１は、ＲＧＢ各色の受光素子が図２において紙面垂直方向に直線状に並ぶ姿勢でキャリッジ３０に搭載されている。リニアイメージセンサ４１はＲＧＢ各色について各１列の受光素子が配列されているものでもよいし、２列以上の受光素子が配列されているものでもよい。リニアイメージセンサ４１は、光学系２０により入力される走査線上の光学像を走査し、その光学像の濃淡に相関する電気信号を出力する。リニアイメージセンサ４１は、可視光、赤外光、紫外光等、所定の波長領域の光を光電変換して得られる電荷をフォトダイオード等の受光素子に一定時間蓄積し、受光素子ごとの受光量に応じた電気信号をＣＣＤ（Ｃｈａｒｇｅ　Ｃｏｕｐｌｅｄ　Ｄｅｖｉｃｅ）、ＭＯＳトランジスタスイッチ等を用いて出力する。
【００１９】
光学系２０は、光源２１、ミラー２２及びレンズ２３などで構成され、キャリッジ３０に搭載されている。光源２１は蛍光管ランプ等の管照明装置から構成され、原稿Ｍの走査線近傍を照射する。ミラー２２及びレンズ２３は照射された原稿Ｍの走査線上の反射光像をリニアイメージセンサ４１に結像させる。これにより原稿Ｍの走査線上の光学像をリニアイメージセンサ４１に入力する。尚、光源２１の位置を変えて原稿の透過光像をリニアイメージセンサ４１に結像させるようにしてもよい。
【００２０】
第一主走査駆動部５１は、リニアイメージセンサ４１を駆動するために必要な駆動パルスをリニアイメージセンサ４１に出力する駆動回路である。第一主走査駆動部５１は、例えば同期信号発生器、駆動用タイミングジェネレータ等から構成される。
【００２１】
第一副走査駆動部５２は、走査線の長手方向軸に垂直に架設されキャリッジ３０を摺動可能に保持する摺動軸１３、キャリッジモータ５４、駆動ベルト５３、駆動回路などを備えている。キャリッジモータ５４がキャリッジ３０を駆動ベルト５３で牽引することでリニアイメージセンサ４１と原稿Ｍとが走査線に垂直な方向Ｗ（副走査方向）に相対移動するため、二次元画像の走査が可能となる。
【００２２】
処理部６０は、ＡＦＥ（Ａｎａｌｏｇ　Ｆｒｏｎｔ　Ｅｎｄ）部６１及びディジタル画像処理部６２を備える。
ＡＦＥ部６１は、アナログ信号処理部、Ａ／Ｄ変換器等から構成される。アナログ信号処理部は、リニアイメージセンサ４１から出力された電気信号に対して増幅、雑音低減処理等のアナログ信号処理を施して出力する。Ａ／Ｄ変換器は、アナログ信号処理部から出力された電気信号を所定ビット長のディジタル表現の出力信号に量子化して出力する。
【００２３】
ディジタル画像処理部６２は、ＡＦＥ部６１から出力された出力信号に対し、ガンマ補正、画素補間法による欠陥画素の補間、シェーディング補正、画像信号の鮮鋭化等の処理を行って画像データを作成する。尚、ディジタル画像処理部６２で施す上記各種の処理は、制御部７０で実行するコンピュータプログラムによる処理に置き換えてもよい。
【００２４】
印刷部１０２（図１１参照）は、印刷ヘッド８４、ヘッド駆動部８３、第二主走査駆動部８１及び第二副走査駆動部８２などを備え、プリンタユニット９３に収容されている。
【００２５】
印刷ヘッド８４はキャリッジ８６に設けられ、インクを吐出するノズル８４ａ、ピエゾ素子８４ｂ、インク通路８４ｃなどを備える。ピエゾ素子８４ｂはインクを導くインク通路８４ｃの側壁に接する位置に設けられ、駆動電圧が印加されると急速に伸長してインク通路８４ｃの側壁を変形させる。インク通路８４ｃの体積はピエゾ素子８４ｂの伸張に応じて収縮し、その収縮分に相当するインクがノズル８４ａから高速に吐出される。これにより印刷ヘッド８４は記録媒体としての印刷用紙９１にドットを記録する。
【００２６】
ヘッド駆動部８３は、制御部７０から出力された印刷信号に基づいて駆動電圧をピエゾ素子８４ｂに印加する回路である。
第二主走査駆動部８１は、プラテン８５の軸と平行に架設されキャリッジ８６を摺動可能に保持する摺動軸９０、キャリッジモータ８７、駆動ベルト８８、駆動回路などを備える。キャリッジモータ８７がキャリッジ８６を駆動ベルト８８で牽引することで印刷ヘッド８４が摺動軸９０（主走査方向軸）の軸方向（主走査方向Ｘ）に往復移動する。
【００２７】
第二副走査駆動部８２は、紙送りモータ８９、紙送りモータ８９の回転をプラテン８５と図示しない用紙搬送ローラとに伝達する歯車列、駆動回路などを備える。紙送りモータ８９がプラテン８５と用紙搬送ローラとを回転させることで、主走査方向軸に交差する図２において紙面に垂直な方向（副走査方向）に印刷用紙９１が移動する。
【００２８】
制御部７０は、ＣＰＵ７１、ＲＯＭ７２及びＲＡＭ７３を備えている。ＣＰＵ７１はＲＯＭ７２に記憶されたコンピュータプログラムを実行して複合機１の各部を制御する。ＲＯＭ７２はＣＰＵ７１に各部を制御する処理を実行させるプログラム、各種のデータなどを記憶しているメモリであり、ＲＡＭ７３はプログラム、各種のデータなどを一時的に記憶するメモリである。
【００２９】
次に、給紙口、異物避けカバー及び貯留部について説明する。
図４は用紙台９９の給紙口の近傍の上方周辺を示す模式図であり、図５は異物避けカバー９４を概ね直立姿勢としたときの給紙口９６周辺を示す模式図である。図６は異物避けカバー９４を概ね直立姿勢としたときの複合機１の側面図である。尚、図４においては後述する係止軸や軸受け部を省略している。
【００３０】
図５に示すように給紙口９６は、印刷部１０２が印刷可能な最大サイズの原稿が通過できる大きさでプリンタユニット９３の側壁部に開口している。印刷部１０２が画像を印刷する印刷用紙９１は給紙口９６から供給される。図４に示すように、給紙口９６（図５参照）が形成されている側壁部の上側にはスキャナユニット９２に原稿カバー９５を連結する２つのヒンジ９７が設けられており、従って給紙口９６は原稿カバー９５の揺動軸線９８の下方に形成されている。
【００３１】
図５に示すように、異物避けカバー９４はカバー板９４ａと、カバー板９４ａと一体成形されカバー板の左右にカバー板に垂直に設けられる支持板９４ｂと、カバー板９４ａの給紙口側の縁に形成されプリンタユニット９３の軸受け部９３ａにはめるための係止軸９４ｃなどから構成されている。図５に示すように係止軸９４ｃはプリンタユニット９３の貯留部９３ｂに設けられた軸受け部９３ａにはめられ、これにより異物避けカバー９４は係止軸９４ｃを中心に自在に揺動される。図４に示すように異物避けカバー９４は支持板９４ｂが用紙台９９に当接することでプリンタユニット９３と用紙台９９とに係止され、支持板９４ｂが用紙台９９に当接するとき異物避けカバー９４は図１に示すように給紙口側の縁から反給紙口側の縁にいくにつれて上にいくよう傾斜する姿勢となる。すなわち、給紙口側の端部から反給紙口側の端部に向かって上方に傾斜する姿勢となる。異物避けカバー９４がこの姿勢になるとき用紙台９９の給紙口９６の近傍の上方は異物避けカバー９４によって覆われる。ここで用紙台９９の給紙口９６の近傍とは、用紙台９９において原稿カバー９５から異物が落下してくる範囲に相当する。尚、第一実施例の異物避けカバー９４は給紙口９６の近傍の上方のみを覆うが、用紙台９９全体の上方を覆うようにしてもよい。
【００３２】
異物避けカバー９４は半透明部材で形成されている。これによりユーザは異物避けカバー９４を通して用紙台９９の原稿を確認することができ、例えば用紙台９９に保持されている印刷用紙９１のサイズが小さい場合であっても、ユーザは異物避けカバー９４を直立姿勢にしたりあるいは外したりすることなく印刷用紙９１が保持されていることを確認することができる。
【００３３】
図７は、異物避けカバー９４を示す図である。尚、図７では係止軸などを省略している。図示するように異物避けカバー９４には印刷用紙９１のサイズに応じたマーク９４１が設けられている。ユーザは原稿台１１に保持されている印刷用紙９１の端の位置が、複数あるマーク９４１の内のどのマーク９４１の位置にあるかによって印刷用紙９１のサイズを容易に確認することができる。
【００３４】
図５に示すように、貯留部９３ｂは異物避けカバー９４の給紙口側の縁に沿ってプリンタユニット９３に溝状に設けられている。前述のように異物避けカバー９４の係止軸９４ｃは貯留部９３ｂの軸受け部９３ａにはめられており、従って貯留部９３ｂは異物避けカバー９４の給紙口側の端部の近傍に設けられていることになる。貯留部９３ｂは異物避けカバー９４に沿って降下する異物を貯留する。
【００３５】
次に、貯留部９３ｂが異物を貯留する流れを図１１を例に説明する。例えばユーザが画像読み取り部１０１に原稿を読み取らせるとき、原稿台１１に原稿を載置した後で、原稿を挟んで止めていたクリップ１０２を原稿カバー９５の上に置いたとする。原稿を読み取らせた後でユーザは不注意により原稿カバー９５をそのまま開けてしまったとする。このとき、クリップ１０２は原稿カバー９５から落下する。落下したクリップ１０２は異物避けカバー９４におち、異物避けカバー９４に沿って降下し、貯留部９３ｂに到達する。これにより貯留部９３ｂはクリップ１０２を貯留する。
【００３６】
以上説明した第一実施例の複合機１によると、上に異物が置かれた状態で原稿カバー９５が開かれたとき、異物は異物避けカバー９４の上に落ち、傾斜する異物避けカバー９４に沿って降下して貯留部９３ｂに貯留される。よってこの複合機１によると、原稿カバー９５を開いたとき原稿カバー９５の上に置かれた異物が給紙口９６から複合機１に入ることを防止できる。従って異物による複合機１の故障を防止できる。
【００３７】
尚、第一実施例では異物避けカバー９４はプリンタユニット９３と用紙台９９とに係止されているが、プリンタユニット９３のみに係止されてもよいし、スキャナユニット９２と用紙台９９とに係止されてもよいし、スキャナユニット９２のみに係止されてもよい。
【００３８】
また、第一実施例では貯留部９３ｂをプリンタユニット９３に設けているが、異物避けカバー９４の給紙口側の端部に設けてもよいし、また、異物避けカバー９４をスキャナユニット９２に係止する場合はスキャナユニット９２に設けてもよい。あるいは、プリンタユニット９３と異物避けカバー９４の給紙口側の端部とで貯留部９３ｂを形成するようにしてもよい。同様にスキャナユニット９２と異物避けカバー９４の給紙口側の端部とで貯留部９３ｂを形成するようにしてもよい。
【００３９】
また、第一実施例では異物避けカバー９４は半透明部材で形成されているが、透明部材で形成されてもよい。
【００４０】
（第二実施例）
第二実施例は、原稿カバーから所定の力が作用すると外れる異物避けカバーを備えた画像入出力装置の例である。尚、第二実施例においては第一実施例と実質的に同一の部分については説明を省略する。
【００４１】
図８は、本発明の第二実施例に係る複合機２を示す側面図である。複合機２は、画像読み取り装置としての所謂フラットベッド型のイメージスキャナとインクジェットプリンタとが一体化された画像入出力装置である。複合機２の異物避けカバー１０４はプリンタユニット１０５に係止されており、図示するように異物避けカバー１０４と用紙台１０６との間に空間がある。
【００４２】
図９及び図１０は、軸方向から見た係止軸１０７と軸受け部１０８とを拡大して示す図である。図示するように係止軸１０７には切り欠きＡ及びＢが設けられている。
【００４３】
切り欠きＡは、図１０に示すように異物避けカバー１０４が概ね直立姿勢となったとき概ね鉛直になるよう設けられている。図１０において切り欠きＡが直立姿勢になるようにした場合、係止軸１０７と軸受け部１０８との間には異物避けカバー１０４を右にずらすための隙間が生じ、係止軸１０７を右にずらして上に持ち上げることで異物避けカバー１０４を取り外すことができる。給紙口側の端部から反給紙口側の端部に向かって上方に傾斜するときは図９に示すように係止軸１０７と軸受け部１０８との間には右側にずらす隙間がなく、このため異物避けカバー１０４は軸受け部１０８の段差部１１２によって阻まれて取り外すことができない。すなわち、異物避けカバー１０４は概ね直立姿勢のときにのみ脱着可能に筐体に係止されている。
【００４４】
切り欠きＢは、図９に示すように給紙口側の端部から反給紙口側の端部に向かって上方に傾斜するとき上側の端部１１０が軸受け部１０８の段差部１１２近傍に位置するよう設けられている。この状態で図１２に示すようにスキャナユニット１１１及び原稿カバー１０３を開くと原稿カバー１０３が異物避けカバー１０４に当接し、それによりユーザが原稿カバー１０３を開く力が異物避けカバー１０４に加わる。すなわち異物避けカバー１０４に原稿カバー１０３から所定の力が作用する。力が作用すると係止軸１０７は切り欠きＢの上側の端部１１０が軸受け部１０８の段差部１１２を越えるまで回転する。一旦段差部１１２を越えると切り欠きＢがあることによって係止軸１０７は段差部１１２に拘束されなくなるため軸受け部１０８から外れ、異物避けカバー１０４は筐体から外れる。
【００４５】
以上説明した第二実施例の複合機２によると、異物避けカバー１０４は概ね直立姿勢のとき取り外すことができ、給紙口側の端部から反給紙口側の端部に向かって上方に傾斜する姿勢のときは取り外せない。従って異物避けカバー１０４が意図に反して外れてしまうことを防止できる。
【００４６】
更に、第二実施例の複合機２によると、図１２に示すように原稿カバー１０３から所定の力が作用すると、異物避けカバー１０４はプリンタユニット１０５から外れる。従って原稿カバー１０３から所定の力が作用しても異物避けカバー１０４が破損しない。
【図面の簡単な説明】
【図１】本発明の第一実施例に係る画像入出力装置を示す側面図である。
【図２】本発明の第一実施例に係る画像入出力装置の構成を示す模式図である
【図３】本発明の第一実施例に係る画像入出力装置を示すブロック図である。
【図４】本発明の第一実施例に係る画像入出力装置の給紙口周辺を示す図であり、
【図５】本発明の第一実施例に係る画像入出力装置の給紙口周辺を示す図である。
【図６】本発明の第一実施例に係る画像入出力装置の複合機の側面図である。
【図７】本発明の第一実施例に係る画像入出力装置の異物避けカバーを示す図である。
【図８】本発明の第二実施例に係る画像入出力装置を示す側面図である。
【図９】本発明の第二実施例に係る画像入出力装置の異物避けカバーの一部を揺動軸方向から見た図である。
【図１０】本発明の第二実施例に係る画像入出力装置の異物避けカバーの一部を揺動軸方向から見た図である。
【図１１】本発明の第一実施例に係る画像入出力装置を示す模式図である。
【図１２】本発明の第二実施例に係る画像入出力装置のスキャナユニット及び原稿カバーを開いた様子を表す図である。
【図１３】従来の画像読み取り装置の一例を示す模式図である。
【符号の説明】
１　複合機（画像入出力装置）
２　複合機（画像入出力装置）
１１　原稿台
９１　印刷用紙（印刷媒体）
９２、１１１　スキャナユニット（筐体）
９３、１０５　プリンタユニット（筐体）
９３ｂ　貯留部
９４、１０４　異物避けカバー
９４１　マーク
９５、１０３　原稿カバー
９６、１０９　給紙口
９８　揺動軸線
９９、１０６　用紙台
１０１　画像読み取り部
１０２　印刷部
【図１】
2004104389.tif 000003
【図２】
2004104389.tif 000004
【図３】
2004104389.tif 000005
【図４】
2004104389.tif 000006
【図５】
2004104389.tif 000007
【図６】
2004104389.tif 000008
【図７】
2004104389.tif 000009
【図８】
2004104389.tif 000010
【図９】
2004104389.tif 000011
【図１０】
2004104389.tif 000012
【図１１】
2004104389.tif 000013
【図１２】
2004104389.tif 000014
【図１３】
2004104389.tif 000015